(57)【要約】【課題】本発明は、人里を遠く離れた山中等において、電源の有無を心配することなく、発光部とカメラ部を安定して駆動させ、監視を行うことである。【解決手段】本発明による遠隔監視装置及び方法は、サーボ旋回台(3)上に設けた発光部(4)とカメラ部(5)からなる監視装置(2)を水力発電装置(1)である電源を用い、山中等の自然流水を用いて水力発電装置(1)を稼働させることにより、電力を２４時間前記監視装置(2)に送り、２４時間の監視装置(2)の稼働を行うことができる構成である。【選択図】図１
2016063332.tif 000002
【特許請求の範囲】
【請求項１】
電源(1)により駆動され発光部(4)とカメラ部(5)とを有するサーボ旋回台(3)と、前記カメラ部(5)からの画像データ(5a)を公衆回線(11)又はインターネット又は無線(2A)の何れかを介して画像データ蓄積部(6,14A)に伝送するようにした遠隔監視装置において、
前記電源(1)は、屋外に設置されると共に前記屋外で流れる自然流水を用いて発電する水力発電装置から得るように構成したことを特徴とする遠隔監視装置。
【請求項２】
前記発光部(4)は、近赤外線型ＬＥＤ照明よりなることを特徴とする請求項１記載の遠隔監視装置。
【請求項３】
電源(1)により駆動され発光部(4)とカメラ部(5)とを有するサーボ旋回台(3)と、前記カメラ部(5)からの画像データ(5a)を公衆回線(11)又はインターネット又は無線(2A)の何れかを介して画像データ蓄積部(6,14A)に伝送するようにした遠隔監視方法において、
前記電源(1)は、屋外に設置されると共に前記屋外で流れる自然流水を用いて発電する水力発電装置から得るようにしたことを特徴とする遠隔監視方法。
【請求項４】
前記発光部(4)は、近赤外線型ＬＥＤ照明よりなることを特徴とする請求項３記載の遠隔監視方法。
【発明の詳細な説明】
【技術分野】
【０００１】
本発明は、遠隔監視装置及び方法に関し、特に、電源として屋外の自然流水を用いた水力発電装置を用いることにより、屋外の山奥等の電源の全く無い場所においても自在に昼夜を問わず監視機能を維持することができるための新規な改良に関する。
【背景技術】
【０００２】
従来、用いられていたこの種の遠隔監視装置としては、特許文献１に示される構成を挙げることができるが、このような遠隔監視装置を屋外の電源の無い場所で用いる場合には、電源として、電池、発電機等が用いられている。
【先行技術文献】
【特許文献】
【０００３】
【特許文献１】特許第４４８０１７７号公報
【発明の概要】
【発明が解決しようとする課題】
【０００４】
従来の遠隔監視装置は、以上のように構成されていたため、次のような課題が存在していた。
すなわち、遠隔監視装置に対して電源で電力を供給するには、超大型の電池が必要であるが、この電池の容量は有限であるため、定期的な交換が必要であり、設置場所が平地であればまだよいが、山奥の沢等である場合には、大変な労力を必要とし、その電池交換は困難を極めることになっていた。
また、発電機として、ガソリン発電機及び燃料電池等も考えられるが、メンテナンス等を考えると現実的ではなかった。
また、太陽電池も考えられるが、毎夜の夜間照明を考えると、天候に左右される太陽電池では、容量に対する信頼性が十分ではなかった。
【０００５】
本発明は、以上のような課題を解決するためになされたもので、特に、電源として屋外の自然流水を用いた水力発電装置を用いることにより、屋外の山奥等の電源の全く無い場所においても自由に昼夜を問わず監視機能を維持することができる遠隔監視装置及び方法を提供することを目的とする。
【課題を解決するための手段】
【０００６】
本発明による遠隔監視装置は、電源により駆動され発光部とカメラ部とを有するサーボ旋回台と、前記カメラ部からの画像データを公衆回線又はインターネット又は無線の何れかを介して画像データ蓄積部に伝送するようにした遠隔監視装置において、前記電源は、屋外に設置されると共に前記屋外で流れる自然流水を用いて発電する水力発電装置から得るようにした構成であり、また、前記発光部は、近赤外線型ＬＥＤ照明よりなる構成であり、また、本発明による遠隔監視方法は、  電源により駆動され発光部とカメラ部とを有するサーボ旋回台と、前記カメラ部からの画像データを公衆回線又はインターネット又は無線の何れかを介して画像データ蓄積部に伝送するようにした遠隔監視方法において、前記電源は、屋外に設置されると共に前記屋外で流れる自然流水を用いて発電する水力発電装置から得るようにした方法であり、また、前記発光部は、近赤外線型ＬＥＤ照明よりなる方法である。
【発明の効果】
【０００７】
本発明による遠隔監視装置及び方法は、以上のように構成されているため、次のような効果を得ることができる。
すなわち、電源により駆動され発光部とカメラ部とを有するサーボ旋回台と、前記カメラ部からの画像データを公衆回線又はインターネット又は無線の何れかを介して画像データ蓄積部に伝送するようにした遠隔監視装置において、前記電源は、屋外に設置されると共に前記屋外で流れる自然流水を用いて発電する水力発電装置から得るように構成したことにより、昼夜監視が可能で、例えば、トンネル工事の湧き水を用いて必要な小電力の発電を行うことができ、トンネル内外の夜間の真っ暗闇でも工事現場のモニタリングが可能となる。また、冬期においても雪解け水を用いることができる。
また、前記発光部は、近赤外線型ＬＥＤ照明よりなることにより、近赤外線は肉眼では見えないため、昼夜を問わず監視が可能である。
【図面の簡単な説明】
【０００８】
【図１】本発明による遠隔監視装置及び方法を示す構成図である。
【図２】図１の水力発電装置を示す拡大斜視図である。
【図３】図１のカメラ部で撮像した画像データであり、（Ａ）は昼間、（Ｂ）は夜間の無灯状態、（Ｃ）は夜間のＬＥＤ照射状態である。
【図４】夜間の１００ｍ先の目標を示すＬＥＤ照射状態である。
【図５】夜間の１５０ｍ〜２５０ｍ先の目標を示すＬＥＤ照射状態である。
【発明を実施するための形態】
【０００９】
本発明による遠隔監視装置及び方法は、電源として屋外の自然流水を用いた水力発電装置を用いることにより、屋外の山奥等の電源の全くないい場所においても自在に昼夜を問わず監視機能を維持することができることである。
【実施例】
【００１０】
以下、図面と共に本発明による遠隔監視装置及び方法の好適な実施の形態について説明する。
図１は本発明の全体構成を概略的に示すもので、符号１で示されるものは水力発電装置からなる電源であり、この電源１を構成する前記水力発電装置は、例えば、一般に市販されている（株）マルヒが製造販売する完全防水マイクロ水力発電機であり、装置内に設けられた小型発電機のプロペラに水流が当たり、内蔵タービンが回ることにより、最大出力３．０ＫＷの電力を発電することができるように構成されている。
【００１１】
前記水力発電装置１からの電力は監視装置２に供給され、前記監視装置２は、サーボ旋回台３、発光部４及びカメラ部５によって構成されている。
前記サーボ旋回台３は、前記発光部４及び前記カメラ部５を載置した状態で少なくとも二軸回動できるように周知の機構によって構成されている。
【００１２】
前記発光部４は、昼夜を問わず前記カメラ部５によって撮像し画像データ５ａが取れるように、かつ、人間の目には見ることのできない近赤外線型ＬＥＤ照明を発光するように構成されており、前記サーボ旋回台３は、後述のパソコンからなる画像データ蓄積部６を内蔵した録画サーバー７の操作によって無線２Ａにより前述の二軸回動ができるように構成されている。
【００１３】
前記カメラ部５からの画像データ５ａは、ハイビジョン型のカメラサーバー８を経て周知のＬＡＮ９によって第１ＷｉＦｉルーター１０から公衆回線１１から第２ＷｉＦｉルーター１２を経た後にＬＡＮ１３から前記画像データ蓄積部６に蓄積されると共に、必要に応じて画像データ５ａを前記録画サーバー７で再生することができるように構成されている。
また、前記第１ＷｉＦｉルーター１０を介してタブレットＰＣ１４の画像データ蓄積部１４Ａに画像データ５ａを蓄積し、必要に応じて画像データ５ａを再生することができるように構成されている。
【００１４】
次に、前述の構成において、前述の水力発電装置１及び監視装置２等を、図２で示されるように、山奥の沢等の自然流水が流下する場所に設置し、前記監視装置２を地上に設けられた台箱２０上に設置し、前記水力発電装置１から昼夜を問わず発電される電力が前記監視装置２等に供給されている。
【００１５】
図３から図５は、前記監視装置２のカメラ部５で撮像された画像データ５ａを前記録画サーバー７で監視している状態を示しており、図３の（Ａ）は昼間の湖を示し、（Ｂ）は夜間の無灯状態の湖を示し、（Ｃ）は前記発光部４の近赤外線型ＬＥＤ照明を点灯した夜間の湖の監視状態を示している。
従って、湖の監視においても昼夜を問わず、監視可能である。
【００１６】
図４及び図５は、山奥の殆んど人の気配のない森林における監視状態を示しており、図４は、前記発光部４による近赤外線型ＬＥＤ照明を点灯し、対象物Ｅから１００ｍ離れた位置に前記監視装置２を設置した場合の画像データ５ａである。
また、図５は、図４における状態で、対象物Ｅから１５０〜２００ｍ離れた位置に前記監視装置２を設置し、カメラ部５でアップした状態の画像データ５ａである。
【００１７】
尚、前述の監視装置２とカメラサーバー８又は録画サーバー７との間は、無線２Ａあるいはインターネットによって画像データ５ａの伝送又は監視装置２を操作するための操作データ７ａの伝送を自在に行うことができるように構成されている。
【００１８】
次に、前述した本発明による遠隔監視装置及び方法の要旨をまとめると、以下の通りである。
すなわち、電源１により駆動され発光部４とカメラ部５とを有するサーボ旋回台３と、前記カメラ部５からの画像データ５ａを公衆回線１１又はインターネット又は無線２Ａの何れかを介して画像データ蓄積部６,１４Ａに伝送するようにした遠隔監視装置において、前記電源１は、屋外に設置されると共に前記屋外で流れる自然流水を用いて発電する水力発電装置から得るように構成したことを特徴とする遠隔監視装置であり、また、前記発光部４は、近赤外線型ＬＥＤ照明よりなることを特徴とする遠隔監視装置である。
【産業上の利用可能性】
【００１９】
本発明による遠隔監視装置及び方法は、電源が水力発電装置で構成されているため、山奥又は人家のない如何なる場所においても自然流水だけある場所であれば昼夜を問わず監視機能を設置することができ、国内外での利用が期待できる。
【符号の説明】
【００２０】
１    電源（水力発電装置）
２    監視装置
２Ａ    無線
３    サーボ旋回台
４    発光部（近赤外線型ＬＥＤ照明）
５    カメラ部
５ａ    画像データ
６    画像データ蓄積部
７    録画サーバー（パソコン）
７ａ    操作データ
８    カメラサーバー
９    ＬＡＮ
１０    第１ＷｉＦｉルーター
１１    公衆回線
１２    第２ＷｉＦｉルーター
１３    ＬＡＮ
１４    タブレットＰＣ
１４Ａ    画像データ蓄積部
２０    台箱
Ｅ    対象物
【図１】
2016063332.tif 000003
【図２】
2016063332.tif 000004
【図３】
2016063332.tif 000005
【図４】
2016063332.tif 000006
【図５】
2016063332.tif 000007